(57)【要約】【課題】  小型の印刷機にも適用でき、乾燥部において印刷物に与えられた熱の気流を放熱および排気することが可能な印刷装置を提供することを目的とする。【解決手段】  印刷装置は、第１のブランケット胴１３と、ブランケット胴１４と、印刷された印刷用紙を排紙部３２に排出するためのチェーン２３をスプロケット２２との間で巻回した排紙胴１９と、撮像部６０と、チェーン２３により搬送される印刷用紙を乾燥する乾燥部８０と、乾燥部８０において印刷用紙に与えられた熱の気流を放熱および排気する放熱部９０とを有する。この放熱部９０は、グリッパ３０により搬送される印刷用紙の幅方向に対して傾斜角を有するように配置される導熱板９１と熱の気流を収集するためのフード９２と、フード９２に接続される排気ダクト９３とを備える。【選択図】        図２
2006240198.tif 000002
【特許請求の範囲】
【請求項１】
印刷が終了した印刷物を排出する搬送機構を備える印刷装置において、
前記搬送機構により搬送される印刷物に対して熱を与えることにより前記印刷物を乾燥する乾燥部と、
前記搬送機構の上方に配置され、前記乾燥部において印刷物に与えられた熱の気流を放熱および排気する放熱部と、
を備えることを特徴とする印刷装置。
【請求項２】
請求項１に記載の印刷装置において、
前記放熱部は、
水平に対して傾斜角を有するように配置され、複数の孔部が形成された導熱板と、
前記導熱板の孔部を通過する熱の気流を収集するためのフードと、
前記フードに接続される排気ダクトと、
を備える印刷装置。
【請求項３】
請求項２に記載の印刷装置において、
前記導熱板または前記フードのいずれかに、前記導熱板と前記フードとの間に外気を流入させるための流通口部が形成される印刷装置。
【請求項４】
請求項２または請求項３に記載の印刷装置において、
前記導熱板は、印刷物の幅方向に対して傾斜角を有するように配置される印刷装置。
【請求項５】
請求項２乃至請求項４のいずれかに記載の印刷装置において、
前記導熱板は、傾斜下方よりも傾斜上方にその総面積が大きくなるような孔部が形成される印刷装置。
【請求項６】
請求項２乃至請求項５のいずれかに記載の印刷装置において、
前記印刷装置は、その外周部に印刷版を装着する版胴と、その外周部にブランケットを装着するブランケット胴と、圧胴と、を備え、
前記導熱板は、印刷物の搬送方向において、排出側よりもブランケット胴側にその総面積が大きくなるような孔部が形成される印刷装置。
【発明の詳細な説明】
【技術分野】
【０００１】
この発明は、搬送機構により搬送される印刷物に対して熱や赤外線光を与える（以下、総称して「熱を与える」という。）ことにより印刷物を乾燥する機能を備える印刷装置に関する。
【背景技術】
【０００２】
このような印刷装置は、印刷物に対してヒータや赤外線ランプ等により熱を与えることで印刷物を乾燥させるために、印刷装置内の温度が上昇し、印刷品質に悪影響を及ぼす問題が生じていた。
【０００３】
このため、特許文献１に記載の装置は、排紙部に冷却装置を配設することにより、乾燥装置を冷却している。
【特許文献１】特表平８−５０２４５７号公報
【発明の開示】
【発明が解決しようとする課題】
【０００４】
しかしながら、特許文献１に記載の冷却装置は、熱交換器と、流れ監視装置と、冷却媒体のための補償容器と、循環ポンプと、を備えるものであって、大きなスペースを必要とする。このような特許文献１に記載の冷却装置を、小型の印刷装置に適用することは困難である。
【０００５】
この発明は、以上のような課題を解決するためになされたものであり、小型の印刷機にも適用可能で、かつ、乾燥部において印刷物に与えられた熱の気流を放熱および排気することが可能な印刷装置を提供することを目的とする。
【課題を解決するための手段】
【０００６】
請求項１に記載の発明は、印刷が終了した印刷物を排出する搬送機構を備える印刷装置において、前記搬送機構により搬送される印刷物に対して熱を与えることにより前記印刷物を乾燥する乾燥部と、前記搬送機構の上方に配置され、前記乾燥部において印刷物に与えられた熱の気流を放熱および排気する放熱部と、を備えることを特徴とする。
【０００７】
請求項２に記載の発明は、請求項１に記載の印刷装置において、前記放熱部は、水平に対して傾斜角を有するように配置され、複数の孔部が形成された導熱板と、前記導熱板の孔部を通過する熱の気流を収集するためのフードと、前記フードに接続される排気ダクトとを備える。
【０００８】
請求項３に記載の発明は、請求項２に記載の印刷装置において、前記導熱板または前記フードのいずれかに、前記導熱板と前記フードとの間に外気を流入させるための流通口部が形成される。
【０００９】
請求項４に記載の発明は、請求項２または請求項３に記載の印刷装置において、前記導熱板は、印刷物幅方向に対して傾斜角を有するように配置される。
【００１０】
請求項５に記載の発明は、請求項２乃至請求項４のいずれかに記載の印刷装置において、前記導熱板は、傾斜下方よりも傾斜上方にその総面積が大きくなるような孔部が形成される。
【００１１】
請求項６に記載の発明は、請求項２乃至請求項５のいずれかに記載の印刷装置において、前記印刷装置は、その外周部に印刷版を装着する版胴と、その外周部にブランケットを装着するブランケット胴と、圧胴と、を備え、前記導熱板は、印刷物搬送方向において、排出側よりもブランケット胴側にその総面積が大きくなるような孔部が形成される。
【発明の効果】
【００１２】
請求項１に記載の発明によれば、印刷が終了した印刷物を排出する搬送機構を備える印刷装置において、搬送機構により搬送される印刷物に対して熱を与えることにより印刷物を乾燥する乾燥部と、搬送機構の上方に配置され、乾燥部において印刷物に与えられた熱の気流を放熱および排気する放熱部とを備えることから、小型の印刷機にも適用可能な構成であり、かつ、乾燥部において印刷物に与えられた熱の気流を放熱および排気することが可能となる。
【００１３】
請求項２に記載の発明によれば、放熱部は、水平に対して傾斜角を有するように配置され、複数の孔部が形成された導熱板と、導熱板の孔部を通過する熱の気流を収集するためのフードと、前記フードに接続される排気ダクトとを備えることから、熱を導熱板に沿って放熱および排気することが可能となる。このため、効率よく熱を放熱および排気することができる。
【００１４】
請求項３に記載の発明によれば、導熱板またはフードのいずれかに、導熱板とフードとの間に外気を流入させるための流通口部が形成されることから、導熱板の過熱を低減することが可能となる。
【００１５】
請求項４に記載の発明によれば、導熱板は、印刷物幅方向に対して傾斜角を有するように配置されることから、簡易な構成でありながら、熱を導熱板に沿って放熱および排気することが可能となる。
【００１６】
請求項５に記載の発明によれば、導熱板は、傾斜下方よりも傾斜上方に孔部の総面積が大きくなるように孔部が形成されることから、熱が上方へ移動する性質を利用して、熱を導熱板に沿わせながら放熱し、放熱後の気流を排気することが可能となる。このため、効率よく熱を放熱および排気することができる。
【００１７】
請求項６に記載の発明によれば、印刷装置は、その外周部に印刷版を装着する版胴と、その外周部にブランケットを装着するブランケット胴と、圧胴とを備えることから、熱の気流を特にブランケット胴に到達することを防止することが可能となる。また、導熱板は、印刷物搬送方向において、排出側よりもブランケット胴側に孔部の総面積が大きくなるように孔部が形成されることから、気流とともに熱を放熱および排気することが可能となる。
【発明を実施するための最良の形態】
【００１８】
以下、この発明の実施の形態を図面に基づいて説明する。図１は、この発明の第１実施形態に係る印刷装置の概要図である。
【００１９】
この印刷装置は、第１、第２の版胴１１、１２に保持された画像が記録されていない印刷版に画像を記録して製版した後、この印刷版に供給されたインキを第１、第２のブランケット胴１３、１４を介して第１、第２の圧胴１５、１６に保持された印刷用紙に転写することにより４色の印刷を行うものである。
【００２０】
この印刷装置は、第１の版胴１１と、第２の版胴１２と、第１の版胴と当接可能に設けられた第１のブランケット胴１３と、第２の版胴１２と当接可能に設けられたブランケット胴１４と、第１のブランケット胴１３に対して当接可能に設けられた第１の圧胴１５と、第２のブランケット胴１４に対して当接可能に設けられた第２の圧胴１６と、給紙部３１から供給された印刷用紙を第１の圧胴１５に渡すための給紙胴１７と、第１の圧胴１５から受け取った印刷用紙を第２の圧胴１６に渡すための渡し胴１８と、第２の圧胴１６から受け取った印刷用紙を排紙部３２に排出するためのチェーン２３をスプロケット２２との間で巻回した排紙胴１９と、印刷用紙に印刷された画像を撮像するとともに検出パッチの濃度を測定するための撮像部６０と、チェーン２３により搬送される印刷用紙を乾燥する乾燥部８０と、乾燥部８０において印刷用紙に与えられた熱の気流を放熱および排気する放熱部９０と、を有する。
【００２１】
第１の版胴１１および第２の版胴１２は、その外周部に各々異なる２色分の印刷版を保持する所謂２倍胴となっている。また、第１のブランケット胴１３および第２のブランケット胴１４は、第１の版胴１１および第２の版胴１２と同径であり、各々２色分の画像を転写し得るブランケット面を有する。
【００２２】
第１のブランケット胴１３および第２のブランケット胴１４と各々当接可能に設けられた第１の圧胴１５および第２の圧胴１６は、第１、第２の版胴１１、１２および第１、第２のブランケット胴１３、１４の直径の１／２の直径を有する。また、これら第１、第２の圧胴１５、１６は、印刷用紙の先端を保持して搬送するための図示しないグリッパを有する。
【００２３】
圧胴１５に隣接して配設された給紙胴１７は、第１、第２の圧胴１５、１６と同一の直径を有する。この給紙胴１７は、その隔回転毎に、給紙部３１から１枚ずつ供給された印刷用紙の先端をグリッパにより保持して搬送する。グリッパにより保持された印刷用紙の先端部は、給紙胴１７から第１の圧胴１５への印刷用紙の受け渡し時に、第１の圧胴１５のグリッパにより保持される。
【００２４】
第１の圧胴１５と第２の圧胴１６との間に配設された渡し胴１８は、第１、第２の版胴１１、１２および第１、第２のブランケット胴１３、１４の直径と同一の直径を有する。この渡し胴１８は、第１の圧胴１５から受け取った印刷用紙の先端を図示しないグリッパにより保持して搬送し、この印刷用紙の先端を第２の圧胴１６のグリッパに受け渡す。
【００２５】
第２の圧胴１６に隣接して配設された排紙胴１９は、第１、第２の版胴１１、１２および第１、第２のブランケット胴１３、１４の直径と同一の直径を有する。この排紙胴１９は、その両端部に一対のチェーン２３を巻回した構造を有し、この一対のチェーン２３を連結する図示しない連結部材上に、グリッパ３０が配設されている（図２参照）。第２の圧胴１６のグリッパにより保持された印刷用紙の先端部は、第２の圧胴１６から排紙胴１９への印刷用紙の受け渡し時に、排紙胴１９のいずれかのグリッパ３０により保持されている。そして、この印刷用紙は、チェーン２３の移動に伴って、排紙部３２上に排出される。
【００２６】
前記給紙胴１７の端部に付設されたギヤは、従動プーリ２５と同芯上に配設されたギヤ２６と連結している。そして、モータ２７の駆動により回転する駆動プーリ２８と従動プーリ２５との間には、ベルト２９が巻回されている。このため、給紙胴１７は駆動モータ２７の駆動により回転する。一方、第１、第２の圧胴１５、１６、給紙胴１７、渡し胴１８および排紙胴１９は、各々その端部に付設されたギヤにより連結されている。このため、駆動モータ２７の駆動により、これらの給紙胴１７、第１、第２の圧胴１５、１６、排紙胴１９、第１、第２のブランケット胴１３、１４、第１、第２の版胴１１、１２および渡し胴１８は、互いに同期して回転する。
【００２７】
第１の版胴１１の周囲には、印刷版に例えばブラック（Ｋ）のインキを供給するためのインキ供給装置２０ａと、印刷版に例えばシアン（Ｃ）のインキを供給するためのインキ供給装置２０ｂと、印刷版に湿し水を供給するための湿し水供給装置２１ａ、２１ｂとが配置されている。また、第２の版胴１２の周囲には、印刷版に例えばマゼンダ（Ｍ）のインキを供給するためのインキ供給装置２０ｃと、印刷版に例えばイエロー（Ｙ）のインキを供給するためのインキ供給装置２０ｄと、印刷版に湿し水を供給するための湿し水供給装置２１ｃ、２１ｄとが配置されている。
【００２８】
さらに、第１の版胴１１または第２の版胴１２の周囲には、それぞれ、第１の版胴１１の外周部に印刷版を供給するための給版部３３と、第２の版胴１２の外周部に印刷版を供給するための給版部３４と、第１の版胴１１の外周部に装着された印刷版に画像を記録するための画像記録装置３５と、第２の版胴１２の外周部に装着された印刷版に画像を記録するための画像記録装置３６とが配置されている。
【００２９】
図２は、撮像部６０、乾燥部８０、および、放熱部９０を排紙胴１９等の排紙機構とともに示す側面概要図である。
【００３０】
一対のチェーン２３は、排紙胴１９の両端部と一対のスプロケット２２との間に無端状に掛け渡されている。そして、上述したように、一対のチェーン２３を連結する図示しない連結部材上には、各々、印刷用紙の先端部を咥えて搬送するためのグリッパ３０が配設されている。
【００３１】
一対のチェーン２３の長さは、第１、第２の圧胴１５、１６の周長の整数倍の長さとなっており、チェーン２３上におけるグリッパ３０の配置間隔は、第１、第２の圧胴１５、１６の周長と等しくなるように設定されている。そして、各グリッパ３０は、図示しないカム機構によって、排紙胴１９に設けられたグリッパと同期して開閉するように構成されており、排紙胴１９から印刷用紙を受け取り、チェーン２３の回転に伴って印刷用紙を搬送した後、図示しないカム機構により開放されて印刷用紙の先端部のみをグリッパ３０により咥えて搬送するため、印刷用紙の後端は固定されていない状態で搬送されることになる。このため、この搬送時には、印刷用紙のばたつきが発生し、後述する撮像部６０による画像の撮像や検出パッチの濃度等の測定動作に支障を来たすことになる。これを防止するため、この印刷装置においては、排紙部３２の前方側において印刷用紙の搬送状態を安定される吸着ローラ７０が設けられている。
【００３２】
この吸着ローラ７０は、その表面に微細な吸着孔を多数備えた中空状のローラから構成されており、その中空部は図示しない真空ポンプと接続されている。この吸着ローラ７０の端部にはギヤ７１が付設されている。このギヤ７１は、アイドラギヤ７２、７３を介して排紙胴１９の端部の付設されたギヤと連結されている。これにより、吸着ローラ７０は、グリッパ３０の通過速度に合わせて回転駆動される。このため、印刷用紙は、吸着ローラ７０上を通過する際には吸着ローラ７０の表面に吸着された状態となって搬送されることになり、吸着ローラ７０上では、ばたつきは発生しない。なお、吸着ローラ７０に代えて、印刷用紙を平面的に吸着するような吸着部材を使用してもよい。
【００３３】
撮像部６０は、吸着部７０と平行に配設され、吸着ローラ７０上の印刷用紙を照明する一対の線状光源６１と、一対の集光板６２と、折り返しミラー６３、６４と、集光レンズ６５と、ＣＣＤラインセンサ６６とを備える。排紙胴１９やチェーン２３等からなる排紙機構により搬送された印刷用紙は、一対の線状光源６１により照明され、ＣＣＤラインセンサ６６により撮像される。そして、印刷用紙の画像や濃度のデータは、図示しないタッチパネル方式のコントロールパネルに表示される。
【００３４】
乾燥部８０は、チェーン２３に配設されるグリッパ３０より搬送される印刷用紙に対して熱を与えることにより印刷用紙を乾燥するものであり、印刷用紙の搬送方向下流側に配置される。この乾燥部８０は、熱源としての２本の赤外線ランプ８１と、カバー部材８２と、を備える。このカバー部材８２は、撮像部６０を通過してグリッパ３０により搬送される印刷用紙のパスライン上を囲うように配設される。このため、赤外線ランプ８１からの熱を効率よく印刷用紙に向けることが可能となる。
【００３５】
なお、赤外線ランプ８１は、印刷用紙と対向する側に配設された透過部材８３と、その逆側に配設された反射部材８４とに包囲されている。このため、赤外線ランプ８１からの熱が、印刷用紙対向側に配設される透過部材８３のみによって透過され、印刷用紙に向けて効率よく熱を与えることが可能となる。
【００３６】
しかし、このように赤外線ランプ８１を透過部材８３および反射部材８４により包囲することにより、透過部材８３と反射部材８４とにより形成される空間８５内の温度が上昇し、赤外線ランプ８１に悪影響を与える場合がある。このため、この実施形態において、乾燥部８０は、さらに、赤外線ランプ８１に対してエアを噴き付けるエア噴付手段８６を備える。また、透過部材８３と反射部材８４との間には、このエア噴付手段８６から噴き付けられたエアを空間８５から印刷用紙に向けて排出するための排出口８７が形成される。なお、空間８５内の熱を吸収し、エア噴付手段８６から赤外線ランプ８１へ噴き付けられるエアは高温となって空間８５の外へ排出される。このため、この排出されたエアにより、さらに効率よく印刷用紙を乾燥することが可能となる。
【００３７】
次に、放熱部９０について説明する。図３は放熱部９０を上方から示す平面図、図４は放熱部９０を排紙部３２側から示す側面図である。
【００３８】
放熱部９０は、乾燥部８０において印刷用紙に与えられた熱の気流を放熱および排気するために備えられ、印刷用紙を搬送するチェーン２３、排紙胴１９、および、スプロケット２２等の上方に配置される。
【００３９】
この放熱部９０は、グリッパ３０により搬送される印刷用紙の幅方向に対して傾斜角を有するように配置される導熱板９１と、乾燥部８０で発生する熱の気流を収集するためのフード９２と、フード９２に接続される排気ダクト９３と、を備える。なお、排気ダクト９３は、工場内または工場外に設置されるファン９４に接続される。この実施形態において、導熱板９１は、端部から中央に向かって下降するように傾斜している。
【００４０】
この導熱板９１には、傾斜上方側（すなわち、幅方向両端側）により多数になるように複数の孔部９５が形成される。乾燥部８０で発生した熱の気流が導熱板９１の傾斜に沿って上昇移動し、この気流は、この上昇移動に伴って冷却されながら、孔部９５を通過する。
【００４１】
また、孔部９５は、印刷用紙搬送方向において、ブランケット胴１４側により多数になるように形成される。このため、熱の気流がブランケット胴１４に到達することを防止することが可能となる。
【００４２】
このように孔部９５を通過した熱の気流は、フード９２で収集され、排気ダクト９３、ファン９４を介して装置外へ排出される。このため、効率よく乾燥部８０で発生した熱の気流を放熱および排気することが可能となる。なお、孔部９５を導熱板９１の傾斜上方側に多数形成する代わりに、孔部９５の総面積が大きくなるように形成してもよい。
【００４３】
なお、図４に示すように、フード９２には、導熱板９１とフード９２とにより形成される空間内に外気を流入させるための流通口９６が形成される。このため、導熱板９１とフード９２との間に外気を流通させて、導熱板９１の熱を効率よく放熱することが可能となる。
【００４４】
また、この導熱板９１は、鉄またはアルミニウムにより構成される。このため、低コストでありながら、効率よく熱を放熱および排気することが可能となる。また、排気ダクト９３は、印刷用紙搬送方向において、ブランケット胴１４に近接した位置でフード９２と接続されることが好ましい。これは、ブランケット胴１４に到達する熱の気流をできるだけ効率よく導熱板に沿って排気するためである。
【００４５】
図５は、この発明の第１実施形態に係る印刷装置の主要な電気的構成を示すブロック図である。
【００４６】
この印刷装置は、装置の制御に必要な動作プログラムが格納されたＲＯＭ１４１と、制御時にデータが一時的にストアされるＲＡＭ１４２と、論理演算を実行するＣＰＵ１４３とからなる制御部１４０を備える。
【００４７】
この制御部１４０は、インターフェース１４４を介して、インキ供給装置２０、湿し水供給装置２１、画像記録装置３５、３６、撮像部６０、第１、第２のブランケット胴１３、１４の胴入れ機構、乾燥部８０、放熱部９０等における駆動部等の駆動信号を発生させる駆動回路１４５と接続されている。印刷装置はこの制御部１４０により制御される。
【００４８】
このような構成を有する印刷装置においては、給版部３３における供給カセット４１から引き出された印刷版はカッター４２により所定のサイズに切断される。そして、切断されたシート状の印刷版の先端部は、図示しないガイドローラおよびガイド部材により案内され、第１の版胴１１の咥え爪に咥えられる。そして、第１の版胴１１が図示しないモータの駆動により低速で回転し、印刷版が第１の版胴１１の外周部に巻き付けられ、印刷版の後端部は他方の咥え爪により咥えられる。この状態において、第１の版胴１１を低速で回転させながら、画像記録装置３５により第１の版胴１１の外周部に保持された印刷版の表面に変調されたレーザビームを照射し、画像を記録する。
【００４９】
同様に、給版部３４における供給カセット４３から引き出された印刷版はカッター４４により所定のサイズに切断される。そして、切断されたシート状の印刷版の先端部は、図示しないガイドローラおよびガイド部材により案内され、第２の版胴１２が図示しないモータの駆動により低速で回転し、印刷版が第２の版胴１２の外周部に巻き付けられ、印刷版の後端部は他方の咥え爪により咥えられる。この状態において、第２の版胴１２を低速で回転させながら、画像記録装置３６により第２の版胴１２の外周部に保持された印刷版の表面に変調されたレーザビームを照射し、画像を記録する。
【００５０】
なお、第１の版胴１１の外周部には、ブラックのインキで印刷を行うための印刷版と、シアンのインキで印刷を行うための印刷版とが装着される。これらの２枚の印刷版は、均等に振り分けられた状態（すなわち互いに１８０度離隔した状態）となる位置に配置され、画像記録装置３５はこれらの印刷版に画像を記録する。同様に、第２の版胴１２の外周部には、マゼンダのインキで印刷を行うための印刷版と、イエローのインキで印刷を行うための印刷版とが装着される。これら２枚の印刷版も、均等に振り分けられた状態となる位置に配置され、画像記録装置３６はこれらの印刷版に画像を記録して、製版工程が終了する。
【００５１】
製版工程が終了すれば、第１、第２の版胴１１、１２上の印刷版を用いて印刷用紙に印刷を行う印刷工程を実行する。この印刷工程は、次のようにして実行される。
【００５２】
すなわち、先ず、各湿し水供給装置２１および各インキ供給装置２０を第１、第２の版胴１１、１２上に保持された印刷版のうちの対応する印刷版とのみ当接させる。これにより、各印刷版には対応する各湿し水供給装置２１および各インキ供給装置２０から湿し水とインキとが供給される。そして、印刷版に供給されたインキは、第１、第２のブランケット胴１３、１４の対応する領域に転写される。
【００５３】
そして、印刷用紙を給紙胴１７に供給する。この印刷用紙は、給紙胴１７から第１の圧胴１５に渡される。印刷用紙を受け取った第１の圧胴１５が回転を続けると、第１の圧胴１５は、第１の版胴１１および第１のブランケット胴１３の１／２の直径を有することから、第１の圧胴１５の外周部に保持された印刷用紙には、その１回転目においてブラックのインキが、また、その２回転目においてシアンのインキが転写される。
【００５４】
第１の圧胴１５が２回転すれば、印刷用紙は第１の圧胴１５から渡し胴１８を介して第２の圧胴１６に渡される。印刷用紙を受け取った第２の圧胴１６が回転を続けると、第２の圧胴１６は、第２の版胴１２および第２のブランケット胴１３の１／２の直径を有することから、第２の圧胴１６の外周部に保持された印刷用紙には、その１回目においてマゼンダのインキが、また、その２回転目においてイエローのインキが転写される。
【００５５】
このようにして、４色の印刷が終了した印刷用紙は、一対のチェーン２３の駆動により、排紙部３２に向けて搬送される。このとき、搬送中の印刷用紙は、撮像部６０における一対の線状光源６１により照明され、ＣＣＤラインセンサ６６により撮像され、その画像は図示しないコントロールパネルに表示される。そして、撮像部６０に撮像された印刷用紙は、乾燥部８０における赤外線ランプ８１からの熱と赤外線波長光とを受けるとともに、排出口８７から排出される熱の気流を受けて、乾燥される。
【００５６】
このような印刷機においては、排紙胴１９の両端部と一対のスプロケット２２との間に無端状に掛け渡されたチェーン２３の回転とともに、グリッパ３０がチェーン２３の軌跡上を移動する。このとき、乾燥部８０で印刷用紙に向けられた熱にグリッパ３０の移動に伴う流れが発生する。そして、このように発生した熱の気流は、ブランケット胴１４方向に向かうことになる。熱の気流は、印刷用紙を搬送するチェーン２３、排紙胴１９、および、スプロケット２２等の上方に配置される放熱部９０により収集される。このため、熱の気流がブランケット胴１４に到達することを防止することが可能となる。
【００５７】
次に、この発明の他の実施形態について説明する。図６は、この発明の第２実施形態に係る印刷装置の放熱部９０を排紙部３２側から示す側面図である。
【００５８】
第１実施形態に係る放熱部９０における導熱板９１は、端部から中央に向かって下降するように傾斜している。そして、導熱板９１には、傾斜上方側（すなわち、幅方向両端側）により多数になるように複数の孔部９５が形成される。これに対し、この第２実施形態に係る放熱部９０における導熱板９１は、端部から中央に向かって上昇するように傾斜している。そして、導熱板９１には、傾斜上方側（すなわち、幅方向中央部）により多数になるように複数の孔部９５が形成される。
【００５９】
このような第２実施形態に係る放熱部９０によっても、乾燥部８０で発生した熱の気流が導熱板９１の傾斜に沿って上昇移動し、この気流は、上昇移動に伴って冷却されながら孔部９５を通過する。このため、熱が上方へ移動する性質を利用して、熱を導熱板に沿って放熱および排気することが可能となる。
【００６０】
図７は、この発明の第３実施形態に係る印刷装置の放熱部９０を排紙部３２側から示す側面図である。
【００６１】
この第３実施形態に係る放熱部９０における導熱板９１は、一端（図７紙面上右端）から他端（図７紙面上左端）に向かって下降するように傾斜している。そして、導熱板９１には、傾斜上方側（すなわち、図７紙面上右端）により多数になるように複数の孔部９５が形成される。
【００６２】
このような第３実施形態に係る放熱部９０によっても、乾燥部８０で発生した熱の気流が導熱板９１の傾斜に沿って上昇移動し、この気流は、上昇移動に伴って冷却されながら孔部９５を通過する。このため、熱が上方へ移動する性質を利用して、熱を導熱板に沿って放熱および排気することが可能となる。
【００６３】
なお、第３実施形態に係る放熱部９０における導熱板９１の傾斜方向は、紙面左方向に向かって下降しているが、紙面右方向に向かって下降してもよい。
【００６４】
また、上述した実施形態において、乾燥部８０の熱源として２本の赤外線ランプ８１を利用しているが、たとえばヒータ等他の熱源としての機能を有する部材を利用してもよい。
【００６５】
さらに、上述した実施形態において、導熱板９１は、鉄またはアルミニウムにより構成されるが、他の熱伝導性の良好な材料により構成されてもよい。
【図面の簡単な説明】
【００６６】
【図１】この発明の第１実施形態に係る印刷装置の概要図である。
【図２】撮像部６０、乾燥部８０、および、放熱部９０を排紙胴１９等の排紙機構とともに示す側面概要図である。
【図３】放熱部９０を上方から示す平面図である。
【図４】放熱部９０を排紙部３２側から示す側面図である。
【図５】この発明の第１実施形態に係る印刷装置の主要な電気的構成を示すブロック図である。
【図６】この発明の第２実施形態に係る印刷装置の放熱部９０を排紙部３２側から示す側面図である。
【図７】この発明の第３実施形態に係る印刷装置の放熱部９０を排紙部３２側から示す側面図である。
【符号の説明】
【００６７】
１１    第１の版胴
１２    第２の版胴
１３    第１のブランケット胴
１４    第２のブランケット胴
１５    第１の圧胴
１６    第２の圧胴
１７    給紙胴
１８    渡し胴
１９    排紙胴
２０    インキ供給装置
２１    湿し水供給装置
２２    スプロケット
２３    チェーン
２５    従動プーリ
２６    ギヤ
２７    モータ
２８    駆動プーリ
２９    ベルト
３０    グリッパ
３１    給紙部
３２    排紙部
３３    給版部
３４    給版部
３５    画像記録装置
３６    画像記録装置
４１    供給カセット
４２    カッター
４３    供給カセット
４４    カッター
６０    撮像部
６１    線状光源
６２    集光板
６３    折り返しミラー
６４    折り返しミラー
６５    集光レンズ
６６    ＣＣＤラインセンサ
７０    吸着ローラ
７１    ギヤ
７２    アイドラギヤ
７３    アイドラギヤ
８０    乾燥部
８１    赤外線ランプ
８２    カバー部材
８３    透過部材
８４    反射部材
８５    空間
８６    エアー噴付部材
８７    排出口
９０    放熱部
９１    導熱板
９２    フード
９３    排気ダクト
９４    ファン
９５    孔部
【図１】
2006240198.tif 000003
【図２】
2006240198.tif 000004
【図３】
2006240198.tif 000005
【図４】
2006240198.tif 000006
【図５】
2006240198.tif 000007
【図６】
2006240198.tif 000008
【図７】
2006240198.tif 000009